(57)【要約】      （修正有）【課題】生育が速く、利用価値のある接ぎ木の生育を可能にする接ぎ木装置を提供する。【解決手段】接ぎ木装置１０は、ポット１２と、ポット内に収容された栽培土１４とを備え、栽培土が、３０容量パーセントの団粒土と、７０容量パーセントの一般土とを含み、上端が空中に突出するように栽培土中に植えられた柳の苗木１６とにより構成する。さらに、下端が栽培土中において柳の苗木に接触状態に位置決めされる竹の苗木１８と、柳の苗木と竹の苗木を接触状態に保持するための結束具２０とを備える。【選択図】図２
0003180219.tif 000002
【実用新案登録請求の範囲】
【請求項１】
接ぎ木装置であって、
ポットと、
前記ポット内に収容された栽培土とを備え、前記栽培土が、３０容量パーセントの団粒土と、７０容量パーセントの一般土とを含み、前記団粒土が、無酸素状態下において４００°Ｃ〜１２００°Ｃで焼成した籾殻及び／又は草花木を０．１ｍｍ〜０．１ｍｍ×１０-9の粒径に粉砕した微細カーボン材を０．１重量パーセントと、４００°Ｃ〜８００°Ｃで焼成した貝化石を０．１ｍｍ〜０．１ｍｍ×１０-9の粒径に粉砕したものに、５０°Ｃ〜９５°Ｃに加熱したグルテンを、重量比で１：１の割合で混合することによって得られる植物性固化材を０．３重量パーセントと、３５重量パーセント〜５０重量パーセントの水とを一般土に添加し、３分〜５分の間、攪拌することによって製造されるものであり、
上端が空中に突出するように前記栽培土中に植えられた柳の苗木と、
下端が前記栽培土中において前記柳の苗木に接触状態に位置決めされる竹の苗木と、
前記柳の苗木と前記竹の苗木を接触状態に保持するための結束具と、
をさらに備えることを特徴とする装置。
【考案の詳細な説明】
【技術分野】
【０００１】
本考案は一般に、接ぎ木装置に関する。より詳細には、本考案は、団粒土を利用した柳と竹の接ぎ木装置に関する。
【背景技術】
【０００２】
ヤナギ科ヤナギ属の樹木である柳は、河川縁等に広く生育しており、従来は主として雑木扱いされてきたが、近年、バイオマスの原料として使用されている。柳は、真っ直ぐに生育せず、また柔らかいため、構造材としては不適当であるとされている。
【０００３】
また、イネ科タケ亜科の植物である竹は、主に温暖な地域に生育しているものが多く、竹細工、物干し竿、節を応用した容器等の原料として使用されている。竹は、内部が空洞であるため、使用範囲が限定されている。
【考案の概要】
【考案が解決しようとする課題】
【０００４】
通常、苗木を植林して木材として使用することができる程に生育させるには、数十年の年月を要するという課題がある。また、このように長期間の生育時間が必要であるため、その間の山林の管理に多大の費用と労力を要するという課題もある。
一方、竹は、山林の地下に強固に根を張り巡らせるため、他の植物に悪影響を及ぼし、厄介もの扱いされている。また、上述のように、竹は内部が空洞であり、柳は柔らかいため、利用されるのは極めて限定的であった。
【０００５】
本考案は、このような状況に鑑みて開発されたものであって、従来は利用範囲が限られていた柳と竹を一定条件下において接ぎ木することによって、生育が速く、利用価値のある木（以下「柳竹」という）を得ることができる接ぎ木装置を提供することを目的としている。
【課題を解決するための手段】
【０００６】
本願請求項１に記載の接ぎ木装置は、ポットと、前記ポット内に収容された栽培土とを備え、前記栽培土が、３０容量パーセントの団粒土と、７０容量パーセントの一般土とを含み、前記団粒土が、無酸素状態下において４００°Ｃ〜１２００°Ｃで焼成した籾殻及び／又は草花木を０．１ｍｍ〜０．１ｍｍ×１０-9の粒径に粉砕した微細カーボン材を０．１重量パーセントと、４００°Ｃ〜８００°Ｃで焼成した貝化石を０．１ｍｍ〜０．１ｍｍ×１０-9の粒径に粉砕したものに、５０°Ｃ〜９５°Ｃに加熱したグルテンを、重量比で１：１の割合で混合することによって得られる植物性固化材を０．３重量パーセントと、３５重量パーセント〜５０重量パーセントの水とを一般土に添加し、３分〜５分の間、攪拌することによって製造されるものであり、上端が空中に突出するように前記栽培土中に植えられた柳の苗木と、下端が前記栽培土中において前記柳の苗木に接触状態に位置決めされる竹の苗木と、前記柳の苗木と前記竹の苗木を接触状態に保持するための結束具とをさらに備えることを特徴とするものである。
【考案の効果】
【０００７】
本考案の接ぎ木装置によれば、生育速度の速い柳竹を得ることができる。また、本考案の接ぎ木装置では、従来厄介もの扱いされてきた柳と竹を有効活用することができる。本考案の接ぎ木装置によって生育される柳竹は、構造材の他、パルプ材料、繊維素材、インテリア製品の材料など、種々の用途に用いることができる。
【図面の簡単な説明】
【０００８】
【図１】本考案の好ましい実施の形態に係る接ぎ木装置を模式的に示した全体斜視図である。
【図２】図１の接ぎ木装置の断面図である。
【図３】図２の部分３の拡大図である。
【考案を実施するための形態】
【０００９】
次に添付図面を参照して、本考案の好ましい実施の形態に係る接ぎ木装置について詳細に説明する。図１は、本考案の好ましい実施の形態に係る接ぎ木装置を模式的に示した全体斜視図、図２は、図１の接ぎ木装置の断面図である。図１および図２において全体として参照符号１０で示される本考案の好ましい実施の形態に係る接ぎ木装置は、ポット１２と、ポット１２内に収容された栽培土１４とを備えている。
【００１０】
ポット１２は、育苗用の容器となるものであり、上端が開放し、下端が閉鎖した円筒形状を有している。好ましくは、ポット１２の閉鎖した下端には、水抜き用の穴（図示せず）が設けられている。ポット１２は、合成樹脂材料や素焼きの窯業材料等の任意の適当な材料で形成されている。
【００１１】
栽培土１４は、３０容量パーセントの団粒土と、７０容量パーセントの一般土とを混合することによって形成される栽培用の土である。
【００１２】
ここで、「団粒土」とは、いわゆる団粒構造をもった土であり、土粒子間に大小多数の空隙が形成されており、空隙には、空気および水が満たされている。団粒土によって形成される団粒構造は、肥料を保持する土壌環境を提供するため、保肥性が高く、吸水した水分を土粒子間の隙間に保持するため、保水性が高い。また、土粒子間に適当な隙間が形成されているため、通気性および通水性が良好であるとともに、土粒子同士が堅固に噛み合っているため、壊れにくく堅牢性が高い。
【００１３】
団粒土は、以下のようにして製造される。まず、微細カーボン材と植物性固化材を準備する。微細カーボン材は、無酸素状態下において４００°Ｃ〜１２００°Ｃで焼成した籾殻及び／又は草花木を、０．１ｍｍ〜０．１ｍｍ×１０-9の粒径に粉砕したものである。植物性固化材は、４００°Ｃ〜８００°Ｃで焼成した貝化石を０．１ｍｍ〜０．１ｍｍ×１０-9の粒径に粉砕したものに、５０°Ｃ〜９５°Ｃに加熱したグルテンを、重量比で１：１の割合で混合したものである。次いで、一般土に、０．１重量パーセントの微細カーボン材、０．３重量パーセントの植物性固化材、及び３５重量パーセント〜５０重量パーセントの水を添加し、３分〜５分の間、攪拌することによって、団粒土が製造される。
【００１４】
接ぎ木装置１０はまた、上端が空中に突出するように栽培土１４中に植えられた柳の苗木１６と、下端が栽培土１４中において柳の苗木１６に接触状態に位置決めされる竹の苗木１８と、柳の苗木１６と竹の苗木１８を接触状態に保持するための結束具２０とを備えている（図３参照）。結束具２０は、通常の紐等を使用してよい。
【００１５】
本考案の接ぎ木装置１０によって生育される柳竹は、柳と竹の繊維が植物学的に類似していることに着目して開発されたものであり、上述の特徴を有する団粒土を栽培土として利用しているため、通常の樹木に比較して、生育速度が速い（特に、寒冷地での栽培に適している）という特性を有している。また、柳竹は、靱性が大きく且つ真っ直ぐに生育するため、構造材としての活用が期待できる。また、柳竹自体が白色であるため、パルプの原料として使用するときには、無漂白で用いることができる。さらに、柳竹の利用分野としては、繊維素材、インテリア製品の材料などがあげられ、護岸工事におけるコンクリートの代用品としての利用も今後の研究課題としてあげられる。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
たとえば、前記実施の形態では、ポット１２が円筒形状に形作られているが、他の任意の形状（四角筒形状、多角筒形状など）に形作られたポットを使用してもよい。
【符号の説明】
【００１８】
１０  接ぎ木装置
１２  ポット
１４  栽培土
１６  柳の苗木
１８  竹の苗木
２０  結束具
【図１】
0003180219.tif 000003
【図２】
0003180219.tif 000004
【図３】
0003180219.tif 000005